(57)【要約】【課題】  フイルムロールの中空部に電源電池を簡便に組み込む。【解決手段】  カートリッジ１９をカートリッジ室２０に、フイルムロール２１ａをフイルムロール室２２に装填し、一側面１４ａに両極を備えた電源電池１４をフイルムロール２１ａの中空部３８に挿入する。フイルムロール室２２の上壁には、電源電池１４の両極に接続するための一対の接続端子３５，３６が設けられている。電源電池１４を挿入後に、後カバー１５を取り付けて蓋２３を閉じる。フイルムロール室の上壁に一対の接続端子３５，３６を設けたから、リサイクル時に、電源電池１４を簡便に取り出すことができる。【選択図】        図２
2005099189.tif 000002
【特許請求の範囲】
【請求項１】
撮影レンズ、シャッタ機構、及び円筒状をした電池の電源により作動する作動部品などを取り付けた本体部に、予め装填されるカートリッジ付き写真フイルムのカートリッジから引き出した未露光の写真フイルムをロール状に収納するフイルムロール室を設け、このフイルムロール室にフイルムロールを装填後にフイルムロールに形成される中空部に、前記電池をその長手方向がフイルムロールの巻き軸方向と平行になるように挿入したレンズ付きフイルムユニットにおいて、
前記電池は、長手方向のうちの一方の端部の異なる位置に両極の端子をそれぞれ設けた形態となっており、前記フイルムロール室には、前記電池の挿入方向の奥に、前記電池の両極にそれぞれ接続される一対の接続端子が設けられていることを特徴とするレンズ付きフイルムユニット。
【請求項２】
前記フイルムロールは、カートリッジから引き出した未露光の写真フイルムを、中空部を有する巻芯にロール状に巻回した形態となっており、前記電池は、巻芯に設けた中空部に挿入されることを特徴とする請求項１記載のレンズ付きフイルムユニット。
【請求項３】
前記電池の両端子は、前記端部の中央に設けた凹部内に取り付けられた一方の極の端子と、前記端部のうちの前記凹部を除く範囲の一部に設けた他方の極の端子とで構成されていることを特徴とする請求項１又は２記載のレンズ付きフイルムユニット。
【請求項４】
撮影レンズ、シャッタ機構、及び円筒状をした電池の電源により作動する作動部品などが取り付けられ、予め装填されるカートリッジから引き出した未露光の写真フイルムをロール状に収納するフイルムロール室を有する本体部と、前記フイルムロール室の背面を遮光するように前記本体部に取り付けられる遮光カバーと、前記フイルムロール室の底面を開閉自在に覆う蓋部と、前記フイルムロール室を構成する内壁から、閉じ位置にある前記蓋部の手前で前記フイルムロール室内に向けてフォーク状に突出して設けられ、製造時にフイルムロールを巻回した治具棒をフイルムロールから引き抜くときにフイルムロールの端面が当接してフイルムロールの抜け止めを行う端面規制壁とを備えたレンズ付きフイルムユニットにおいて、
前記電池の長手方向のうちの一方の端部の異なる位置に両極の端子をそれぞれ設け、製造時にフイルムロールをセットして治具棒を軸方向に抜いた後に生じる中空部に、前記両極の端子を有した端部を前にして前記電池を、長手方向がフイルムロールの巻き軸と平行になるように挿入することができるように、前記フォーク状の端面規制壁の隙間を、前記電池が長手方向に通過することができる隙間に形成したことを特徴とするレンズ付きフイルムユニット。
【請求項５】
撮影レンズ、シャッタ機構、及び円筒状をした電池の電源により作動する作動部品などが取り付けられ、予め装填されるカートリッジから引き出した未露光の写真フイルムをロール状に収納するフイルムロール室を有する本体部と、前記フイルムロール室の背面を遮光するように前記本体部に取り付けられる遮光カバーと、前記フイルムロール室の底面を開閉自在に覆う蓋部と、前記フイルムロール室を構成する内壁から、閉じ位置にある前記蓋部の手前で前記フイルムロール室内に向けてフォーク状に突出して設けられ、製造時にフイルムロールを巻回した治具棒をフイルムロールから引き抜くときにフイルムロールの端面が当接してフイルムロールの抜け止めを行う端面規制壁とを備え、前記電池の長手方向のうちの一方の端部の異なる位置に両極の端子をそれぞれ設けるとともに、前記フォーク状の端面規制壁の隙間を、前記電池が長手方向に通過することができる隙間で形成したレンズ付きフイルムユニットの製造方法であって、
製造時に前記治具棒に巻回したフイルムロールをフイルムロール室にセットし、セットした後に、前記遮光カバーを取り付けてフイルムロール室の背面を遮光するとともに、遮光カバーを取り付けた後に、前記治具棒を引き抜く第１の工程と、
前記治具棒を軸方向に抜いた後に生じる中空部に、前記両極の端子を有した端部を前にして前記電池を、長手方向がフイルムロールの巻き軸と平行になるように挿入して、フイルムロール室を構成する内壁のうちの前記電池の挿入方向の奥の壁に設けた一対の接続端子に前記電池の両極の端子をそれぞれ接続する第２の工程と、
前記電池を挿入した後に、前記蓋部を閉じて前記蓋部の内壁で前記電池の長手方向への移動を阻止する第３工程とを備えたことを特徴とするレンズ付きフイルムユニットの製造方法。
【発明の詳細な説明】
【技術分野】
【０００１】
本発明は、予め写真フイルムを装填しているとともに、電池の電源を利用して作動する作動部品を内蔵したレンズ付フイルムユニット及びその製造方法に関するものである。
【背景技術】
【０００２】
従来、ストロボ装置を内蔵したレンズ付きフイルムユニットが提供されている。ストロボ装置やデータ写し込み機構などを内蔵するためには、電源電池が必要となる。レンズ付きフイルムユニットは、安価であることに加えて小型な形態が望まれている。そこで、電源電池の組み込み位置をいかに工夫するかが問題となっている。
【０００３】
レンズ付きフイルムユニットには、カートリッジを収納するカートリッジ室と、カートリッジから引き出した未露光の写真フイルムをロール状に収納するフイルムロール室とが設けられている。フイルムロールには、最外周が自身の弾性によりフイルムロール室の内壁に当接するまで巻き弛むため、フイルムロールの内部に中空部が存在する。この中空部を利用して電源電池を組み込んだレンズ付きフイルムユニットが特許文献１、及び特許文献２に提案されている。
【０００４】
特許文献１に記載のものでは、外周で写真フイルムを巻回するための巻き取り軸をフイルムロール室に回転自在に設け、その巻き取り軸の内部に軸方向に沿って貫通した中空部を形成し、その巻き取り軸の中空部に電源電池を挿入している。電源電池は、ＩＳＯ規格に対応する円筒状の形態となっており、長手方向の両側面のうちの一側面に一方の極が、他側面に他方の極がそれぞれ設けられている。電気的接続は、巻き取り軸の両端の開口を通して電源電池の両極にそれぞれ接続端子が回転可能に接して、巻き取り軸が回転しても電気的接続が維持されるようになっている。
【０００５】
特許文献２に記載の発明は特許文献１と略構造が同じであり、違いは、巻き取り軸と一緒に電源電池が回転する特許文献１に対して特許文献２に記載の発明では電源電池が回転しないように構成されている。また、特許文献２に記載の発明では、フイルムロール室の底に蓋が設けられ、蓋を開けると電源電池の一方の極に接続されている接続片が露呈される。電源電池を取り外すときには、電源電池を長手方向に取り出すためのスペースを確保するために、その接続片を折り曲げる構造となっている。
【０００６】
【特許文献１】特開平５−１４２７０４号公報
【特許文献２】米国特許第６０８１６６６号明細書
【発明の開示】
【発明が解決しようとする課題】
【０００７】
しかしながら、特許文献１に記載の発明では、電源電池を電気的に接続する部位が摺動する構造となっているから接触抵抗が大きく、しかも、供給電圧の低い電源電池であるため、接続部に電気的に大きな抵抗が生じて、電源供給の対象を例えばストロボ装置にした場合、充電に長い時間がかかるという欠点が生じる。また、長期的に使用していると接触部がへたってくると電気的接続が安定せず、電源供給中に電気的接続が断たれたりする不都合が生じ易い。
【０００８】
また、特許文献１及び２に記載の発明とも、電源電池の両側面で電気的接続を行っているため、電源電池を取り出し難いという欠点がある。というのは、レンズ付きフイルムユニットは、リサイクルが行われており、使用済みのレンズ付きフイルムユニットを回収し、回収したものを分解して電源電池を取り出し、電源容量を確認して再使用可能なものを再使用している。そこで、電源電池を取り出しし易い構造が望まれている。
【０００９】
さらに、特許文献２に記載の発明では、電池を取り外す時に少なくとも一方の接続片を必ず折り曲げることになるので、接続片が変形したり再使用できなくなったりする。また、蓋に接続片を取り付ける形態も考えられるが、このような構造にすると、電源電池を取り出すために接続片を一度取り外しているため、リサイクル時に再度取り付ける作業が必要になる。
【００１０】
本発明はこのような課題を解決するためになされたもので、電気的接続が安定する構造となるように、また、リサイクル作業が簡便となる構造となるように、電源電池の組み込みを工夫したレンズ付きフイルムユニット及びその製造方法を提供することを目的とする。
【課題を解決するための手段】
【００１１】
上記の目的を達成するために、本願請求項１に係る発明では、長手方向のうちの一方の端部の異なる位置に両極の端子をそれぞれ設けた形態の電池を用い、また、フイルムロール室の前記電池の挿入方向の奥に、前記電池の両極にそれぞれ接続される一対の接続端子を設けたものである。フイルムロールとしては、カートリッジから引き出した未露光の写真フイルムを単に巻回した形態と、その写真フイルムを中空部を有する巻芯にロール状に巻回した形態との二つが考えられる。前者の場合には、フイルムロールの最内周に生じる中空部に電池を挿入する。後者の場合には、巻芯の内部に軸方向に沿って貫通した中空部に電池を挿入する。
【００１２】
電池としては、円柱形の長手方向の両端部のうちの一方の端部の面の中心に設けた凹部内に取り付けられた一方の極の端子と、前記端部のうちの前記凹部を除く範囲の一部に設けた他方の極の端子とで構成されている形態が望ましい。なお、端子として使用する端部としては、側面とその側面に隣接する外周の一部とを含む。
【００１３】
レンズ付きフイルムユニットは、製造時に、カートリッジから引き出した写真フイルムを治具棒に巻き付けてフイルムロールを作り、その後に、それらをカートリッジ室とフイルムロール室とに装填して治具棒を軸方向に引き抜く。治具棒を抜いた後に生じる中空部に電池を挿入する。治具棒を抜くときには、フイルムロールが治具棒の抜き方向に引きずられるため、フイルムロール室内部のうちの蓋部寄りの位置には、フイルムロールの端面を押さえるフォーク状の端面規制壁が形成されている。そこで、別の発明では、この端面規制壁の隙間を、電池を長手方向に挿入することができるように、電池の外径が通過する隙間で形成したものである。なお、端面規制壁の隙間としては、電池を長手方向に通過させる切り欠きがあればフォーク状の隙間でなくてもよい。
【００１４】
また、レンズ付きフイルムユニットの製造方法の発明としては、製造時に治具棒に巻回したフイルムロールをフイルムロール室にセットし、セットした後に、遮光カバーを取り付けてフイルムロール室の背面を遮光するとともに、遮光カバーを取り付けた後に、治具棒を引き抜く第１の工程と；治具棒を抜いた後に、両極の端子を有した端部を前にして前記電池を、長手方向がフイルムロールの巻き軸と平行になるように挿入して、フイルムロール室を構成する内壁のうちの前記電池の挿入方向の奥の壁に設けた一対の接続端子に前記電池の両極の端子をそれぞれ接続する第２の工程と；前記電池を挿入した後に、前記蓋部を閉じて前記蓋部の内壁で前記電池の長手方向への移動を阻止する第３工程とを備えたものである。
【発明の効果】
【００１５】
本発明では、一方の端部に両極を備えた電池を用い、その端部の両極にそれぞれ接続される一対の接続端子をフイルムロール室の挿入方向の奥に設けたから、該ユニットを使用後に、一々接続端子を折り曲げたり取り外したりすることなく、電池をフイルムロール室から簡便に取り出すことができる。また、フイルムロールを巻回する治具棒を引く抜くときにフイルムロールの端面を押さえるフォーク状の端面規制壁の隙間を電池の径と同じか又はそれよりも大きな径、すなわち、電池を長手方向に挿入することができる隙間に形成したから、治具棒を外した後にその隙間を通して電池を中空部に簡単に挿入することができる。
【発明を実施するための最良の形態】
【００１６】
本発明のレンズ付きフイルムユニットの外観を示す図１において、レンズ付きフイルムユニット２の外部には、シャッタボタン４、巻き上げノブ５、対物側ファインダ窓６、撮影レンズ７、撮影枚数表示窓８、ストロボ充電スイッチ９、充電完了ランプ１０、及びストロボ発光部１１が露呈している。
【００１７】
図２において、レンズ付きフイルムユニット２は、本体部１２、カートリッジ付き写真フイルム１３、電源電池１４、及び後カバー１５とから構成されている。本体部１２は、本体基部１６の前面側に、露光ユニットやストロボユニットを着脱自在に取り付け、これらを前面側から覆うように前カバー１７を取り付けた形態となっている。
【００１８】
本体基部１６には、露光開口１８を挟んだ一方側に設けられ、カートリッジ１９を収納するカートリッジ室２０と、また他方側に設けられ、カートリッジ１９から未露光の写真フイルム２１を引き出してロール状に巻回したフイルムロール２１ａを収納するフイルムロール室２２とがそれぞれ形成されている。カートリッジ室２０の上には、巻き上げノブ５が回転自在に取り付けられている。巻き上げノブ５は、軸がカートリッジ室２０の内部に装填されるカートリッジ１９のスプール１９ａに係合している。巻き上げノブ５を外部からフイルム巻き上げ方向に回転操作すると、撮影済みの写真フイルムをカートリッジ１９の内部に巻き上げる。
【００１９】
本体基部１６の背面は開口しており、ここにカートリッジ付き写真フイルム１３を装填後に後カバー１５を着脱自在に取り付けることで背面が遮光される。また、フイルムロール室２２とカートリッジ室２０との底面は開口している。後カバー１５には、一部を薄肉にして開閉自在にしたプルトップ式の蓋２３，２４が一対設けられている。一方の蓋２３は、フイルムロール室２２の底面を遮光するための蓋であり、電源電池１４をリサイクル時に取り出すときに開かれる。また、他方の蓋２４は、カートリッジ室２０の底面を遮光するとともに、撮影済みの該ユニット２からカートリッジ１９を取り出すときに開かれる。
【００２０】
露光ユニットは、撮影レンズ７、シャッタ機構、フイルム巻き止め機構、シャッタチャージ機構、及びファインダ光学系などを一体的に組み込んだユニット部品であり、撮影レンズ７が前カバーの撮影窓から露呈するように露光開口１８の前側に着脱自在に取り付けられる。ストロボユニットは、ストロボ基板、メインコンデンサ、ストロボ発光部などを一体的に組み込んだユニット部品であり、本体基部１６と前カバー１７との間に着脱自在に取り付けられている。ストロボユニットは、ストロボ充電スイッチ９がＯＮすることに応答して電源電池１４の電源を利用してメインコンデンサに充電を行い、シンクロスイッチに応答してトリガ信号を放電管に印加することでメインコンデンサに蓄積した高電圧を利用して放電管が発光してストロボ発光部１１から被写体に向けてストロボ光を照射する。
【００２１】
前記フイルムロール室２２の内壁は、背面側を開口した略Ｕ字状となっている。その内壁の底面寄りには、内部に向けて突出した端面規制壁２５が形成されている。端面規制壁２５は、フイルムロール２１ａの端面位置を規制する。
【００２２】
ストロボ用の電源電池１４は、図３に示すように、一方向に長い円筒状をしており、長手方向で対向する両側面１４ａ，１４ｂのうちの一方の端部の異なる位置にプラス、マイナスの両極３５，３６が設けられている。端部は、一側面１４ａと電池１４の外周のうちの前記一側面１４ａに隣接する周面１４ｃとを含む。一側面１４ａには、負極部材２７、絶縁部材２８、及び正極板２９とが露呈している。負極端子２７には、一側面１４ａの中央に丸穴３０が形成されている。絶縁部材２８は、負極部材２７と正極板２９とを絶縁している。正極板２９は、一側面１４ａのうちの負極部材２７及び絶縁部材２８を除く範囲を覆っているとともに、電源電池１４の周面、及び他側面１４ｂも覆っており、全体が缶状をしている。そして、電源電池１４の周面のうちの一側面１４ａ寄りの周面１４ｃを除く範囲、及び他側面１４ｂは、安全のために、絶縁カバー３１で覆われている。この電源電池１４は、単四電池と略同じ外形となっている。
【００２３】
負極部材２７には、図４に示すように、丸穴３０に入り込むピン形状をした相手側となる接続端子３５が嵌合する。接続端子３５は、先端側から順にピン部３５ａ、鍔３５ｂ、及びリード端子３５ｃとを有し、導電性の材料で形成されている。正極板２９には、一側面１４ａ寄りの周面１４ｃが内周面に嵌合する大きさの環状の接続端子３６が嵌合する。接続端子３６は、先端側が波状に切り欠かれて複数の突起３６ａを環状に並べた形態となっている。
【００２４】
図５に示すように、フイルムロール２１ａは、最外周がフイルムロール室２２の内壁に当接するまで巻き弛み、内部に中空部３８ができている。その中空部３８に電源電池１４が挿入されている。電源電池１４は、長手方向がフイルムロール２１ａを作る回転軸と平行となるようにフイルムロール室２２の底から中空部３８に挿入され、両極を備えた一側面１４ａがフイルムロール室２２の上方（取り出し用蓋２３に対向する方向）に位置している。
【００２５】
図６に示すように、フイルムロール室２２の上壁（取り出し用蓋２３に対向する壁）２２ａには、フイルムロール室２２の内部から外部に向けて一段凹ました段差面３９が形成されている。段差面３９には、凹みから突出しないように、一対の接続端子３５，３６が設けられている。負極用の接続端子３５は、後端のリード端子３５ｃを前向きにして、上壁２２ａに設けた開口３７を通して上壁２２ａの内部から外部に向けて挿入することで固定される。フイルムロール室２２の外部に露呈されるリード端子３５ｃには、接片又はリード線などを介してストロボ基板と電気的に接続される。鍔３５ｂは、電源電池１４を組み込むときに、接続端子３５が上壁２２ａの外部に抜けるのを防止するためのものである。
【００２６】
上壁２２ａには、開口３７以外に、その周方向にミシン目状に形成した複数の穴３４が形成されている。接続端子３６は、それら穴３４に正極用の接続端子３６の複数の突起３６ａを、フイルムロール室２２の外部から内部に向けて挿入することで、複数の突起３６ａの先端側がフイルムロール室２２の内部に露呈した状態で固定される。フイルムロール室２２の外部に残されている後端側には、接片又はリード線などを介してストロボ基板に電気的に接続される。
【００２７】
カートリッジ付き写真フイルムの装填は、図７に示すように、後カバー１５を本体部１２に装着する前に、写真フイルム２１のフイルム先端に、治具となる巻軸４０を係合させ、写真フイルム２１のフイルム先端を巻軸４０ごとフイルムロール室２２に挿入しておく。そして、写真フイルム２１の乳剤面側が内側になるように巻軸４０を回転させてフイルムロール２１ａを作成する。その後、後カバー１５を取り付けてから巻軸４０をフイルムロール２１ａから巻軸４０の軸方向に沿って引き抜くが、この時フイルムロール２１ａの端面が巻軸４０に引きずられて竹の子状に突出しようとする。このフイルムロール２１ａの端面の突出防止を行うのが、端面規制壁２５である。なお、巻軸４０は、フイルムロール２１ａを作成する先端と、該ユニット２から外部に露呈される根元とが同じ径、又は根元よりも先端が細い径をし、先端側を外部に開放した溝、すなわちフイルム先端を差し込むための溝を先端に形成した形態となっている。
【００２８】
この端面規制壁２５には、図８に示すように、略Ｕ字状をした切り欠き部４５が形成されている。切り欠き部４５は、略Ｕ字状をしており、巻軸４０をフイルムロール２１ａの回転軸と平行に引き抜くために、その巻軸４０が通過する大きさで形成されている。しかも、この切り欠き部４５のうちのＵ字状を構成する円弧は、電源電池１４の外周と同じか、又はそれよりも大きな径で形成されている。
【００２９】
また、後カバー１５には、端面規制壁２５に対向する位置に、フォーク状をした突起部４６が形成されている。この突起部４６には、円弧部４７が形成されている。後カバー１５を本体部１２に取り付けると、円弧部４７と端面規制壁２５の切り欠き部４５とが突き合わされ、図９に示すように、円形の開口４８が出来上がる。この開口４８を通して、巻軸４０を引き抜くとともに、該ユニット２の底面側から、フイルムロール２１ａの中空部３８に、電源電池１４を長手方向がフイルムロール２１ａの回転軸と平行になるように挿入する。電源電池１４を挿入すると、開口４８の縁で周面１４ｃが支持されるとともに、その他側面１４ｂ寄りの後端が開口４８から飛び出す。電源電池１４は、開口４８から飛び出した後端が後カバー１５の蓋２３を閉めることで当接して長手方向への抜け止めがなされる。
【００３０】
次に、レンズ付きフイルムユニット２の製造について説明する。まず本体基部１６に露光ユニット、及びストロボユニットを取り付け、これらを組み込んでから、これらの前に前カバー１７を取り付けて本体部１２を作る。
【００３１】
作った本体部１２を暗室に供給する。暗室に送られた本体部１２は、背面を上にしてフイルム装填位置にセットされる。フイルム装填位置には、カートリッジ付き写真フイルム１３が供給されている。カートリッジ付き写真フイルム１３の初期状態は、写真フイルム２１の先端が少し露呈した形態となっているので、その写真フイルム２１の先端を巻軸４０の先端に形成したスリットに挿入する。巻軸４０の先端は根元と同じ細径となっており、スリットは、その先端の細径に形成されている。
【００３２】
その後、巻軸４０をカートリッジ１９から離して写真フイルム２１を引き出す。このときの引き出しは、カートリッジ室２０とフイルムロール室２２との軸間距離に応じて決められている。そして、カートリッジ１９と巻軸４０とをその間隔分だけ離した状態で、巻軸４０をモータの回転を利用して巻軸４０の先端に写真フイルム２１を巻き取る。モータの駆動とともに、巻軸４０の回転数を計数し、その回転数に応じたフイルム引き出し長が全て引き出した写真フイルム２１の長さとなった時点でモータの駆動を停止する。これにより、巻軸４０の先端にフイルムロール２１ａが形成される。
【００３３】
その後は、図７に示すように、カートリッジ１９をカートリッジ室２０に、またフイルムロール２１ａを持った巻軸４０の先端をフイルムロール室２２にそれぞれ装填する。装填は、カートリッジ１９の底面側を掴む治具と巻軸４０とを持って互いの間隔を維持した状態で行われる。この時、一対の接続端子３５，３６が段差面３９に隠れているので、巻軸４０の先端で接続端子３５，３６を破損することがない。装填後には、巻軸４０の根元は、端面規制壁２５の切り欠き部４５から本体部１２の外に突出されている。
【００３４】
次に、後カバー１５を本体部１２に装着する。装着すると、端面規制壁２５の切り欠き部４５と突起部４６の円弧部４７とで開口４８が形成され、開口４８から巻軸４０の根元が露呈する形態となる。その後、巻軸４０を開口４８から引き抜いてフイルムロール２１ａから外すとともに、カートリッジ１９を掴む治具もスプール１９ａの軸方向に引き抜いて外す。
【００３５】
巻軸４０を抜く時には、フイルムロール２１ａの端面が巻軸４０の抜き方向に引きずられて竹の子状に突出しようとするが、その引き抜き方向にある開口４８の縁によりフイルムロール２１ａの移動が阻止される。また、フイルムロール２１ａは巻弛みが生じて膨らむが、その端面の形は後カバー１５に設けた円弧状のフイルム支持部によって楕円形状になることなくほぼ円形状に安定する。
【００３６】
巻軸４０を引き抜いた後には、開口４８を通して電源電池１４を中空部３８に一側面１４ａが前を向く姿勢で長手方向に沿って挿入する。このとき、電源電池１４の外周よりもフイルムロール２１ａの最内周の方が大きい径となるため、写真フイルム２１に当たることなく電源電池１４を挿入することができる。なお、巻軸４０を外したときに生じるフイルム自身の巻き弛みにより中空部３８が形成される構造の代わりに、電源電池１４よりも太い径の巻軸４０を用いてフイルム自身の巻き弛みが生じなくても電源電池１４を挿入可能な径の中空部３８が形成される構造としてもよい。
【００３７】
電源電池１４をさらに押し込むと、挿入方向の先端である一側面１４ａが一対の接続端子３５，３６に接続される。この接続は、負極部材２７の丸穴３０が接続端子３５のピン部３５ａに嵌合して負極同士が接続されるとともに、一側面１４ａの外周が接続端子３６のうちの複数の突起３６ａの内周に嵌り込み、正極同士が接続される。そして、さらに電源電池１４を押し込むことで、一側面１４ａが鍔３５ｂに当接してそれ以上の押し込みが防止される。この鍔３５ｂは、絶縁部材２８の範囲に接触する大きさとなっているので問題はない。この接続により、電源電池１４の回転止めがなされる。
【００３８】
電源電池１４を挿入後に、カートリッジ室２０の蓋２４を閉めてカートリッジ室２０を光密に閉じるとともに、フイルムロール室２２の蓋２３を閉める。蓋２３を閉めることでフイルムロール室２２の遮光と電源電池１４の抜け止めとがなされる。その後、明室の出荷工程に供給されることでレンズ付きフイルムユニット２がパッケージされて出荷される。
【００３９】
なお、上記例では、フイルムロール２１ａを暗室で作っているが、本発明ではこれに限らず、明室で作ることもできる。この場合には、フイルム先端を巻軸４０の先端に挟んだ状態でその巻軸をフイルムロール室２２に、また、カートリッジ１９をカートリッジ室２０にそれぞれ装填しておいてから、後カバー１５を取り付け、カートリッジ室２０の蓋２３を閉めた後に、巻軸４０を回転してフイルムロール室２２の内部でフイルムロール２１ａを作成する。後カバー１５を取り付ける前では、カートリッジ１９からフイルム先端が露呈しているが、その範囲は撮影に使用しない範囲であるため、支障はない。また、フイルムロール室２２の底には開口４８があるが、その開口４８は巻軸４０の根元で塞がれている。この場合、巻軸４０の根元と電池１４とを略同じ径にするのが望ましい。フイルムロール２１ａを作った後には、巻軸４０を抜いて、その後に電源電池１４を挿入して蓋２３を閉じる。巻軸４０を抜いてから電源電池１４を挿入するまでの間は、開口４８の内部が露呈されるが、その露呈時間は短く、しかも、開口４８の奥に露呈されるフイルムロール２１ａの最内周が撮影に使用しないフイルム先端の範囲であるので問題はない。このようにして製造したレンズ付きフイルムユニット２は、工場から出荷される。
【００４０】
撮影は、巻き上げノブ５を回転操作して写真フイルム２１を巻き上げた後にシャッタボタン４を押下する。フイルム巻き上げ時には、フイルムロール２１ａの最内周に電源電池１４の外周が接触していないため、フイルムロール２１ａのみが回転して未露光の写真フイルム２１がカートリッジ１９に向けて巻き上げられる。
【００４１】
ストロボ撮影のときにシャッタレリーズを行う前に、ストロボ充電スイッチ９をＯＮ操作する。この操作により、電源電池１４に接続された一対の接続端子３５，３６から電源がストロボ回路に供給されて充電が開始される。充電が完了すると、充電完了ランプ１０が点灯又は点滅するから、その後にシャッタレリーズを行えばよい。
【００４２】
最後の撮影コマへの撮影が完了すると、フイルムカウンタ機構が残り枚数の無い旨の表示位置に枚数表示板を回転させる。枚数表示板がその回転位置に回転することに連動してフイルム巻き止め機構の作動が禁止される。これにより、最後の撮影コマへの撮影が完了した後の巻き上げ操作により全部の写真フイルム２１をカートリッジ１９に巻き上げることができる。全部の写真フイルム２１がカートリッジ１９に収納されると、フイルムロール室２２には、電源電池１４だけが残った状態となる。
【００４３】
撮影が終了したレンズ付きフイルムユニット２は、写真プリントのために現像所に提出される。現像所では、蓋２４を開けてカートリッジ室２０の底面からカートリッジ１９をスプール１９ａの軸方向に抜き出す。このカートリッジ１９は写真処理工程に回され、プリント写真とネガがユーザーに戻される。空のレンズ付きフイルムユニット２は、集積された後に工場に回収される。
【００４４】
工場では、使用済みのレンズ付きフイルムユニット２を分解工程に送る。分解工程では、前カバー１７を取り外した後に、フイルムロール室２２の蓋２３を開けて電源電池１４を取り出す。このとき、蓋２３を開けるだけで、電源電池１４の後端が露呈しており、しかも、電気的接続が取り出しとは逆側のみで行われているから、電源電池１４の後端（他側面１４ｂ）を掴んで挿入方向とは逆の方向に引き抜くだけで、本体部１２の一対の接続端子３５，３６から電源電池１４の一側面１４ａが抜けるため、電源電池１４を簡単に取り出すことができる。このように、電源電池の取り出し口側（蓋２３側）に、接続片を設けていないため、従来技術で説明したように、電池を取り外す時に少なくとも一方の接続片を折り曲げることなく、また、接続片を再度取り付ける作業も必要がないため、リサイクルが簡便で、しかも電気的接続の安定性を長期的に維持することができる。
【００４５】
その後は、ストロボユニットのメインコンデンサの放電を行った後にストロボユニットを本体部１２から取り外す。その後、露光ユニット、巻き上げノブ５、及び後カバー１５を取り外して取り外した部品を、検査してからそのまま用いる再使用可能ものと、原材料に戻す再生使用可能なものとに仕分けしてリサイクルされる。
【００４６】
上記実施形態では、電源電池１４に接続する一対の接続端子３５，３６をフイルムロール室２２に直接固定しているが、図１０に示すように、ベース部材５０に予め一対の接続端子３５，３６を固定しておき、このベース部材５０をフイルムロール室２２の上壁２２ａに取り付けるようにすると、組立が簡便となる。
【００４７】
また、本発明の遮光カバーは、上記実施形態で、本体部１２の背面の全部を覆う後カバー１５に相当するが、これに限らず、複数のカバーで構成した形態としてもよい。また、本発明の蓋部に相当する蓋２３を、遮光カバーと一体に形成しているが、これに限らず、遮光カバーと別に形成し、嵌め込み式や、巻軸４０の軸に対して直交する方向にスライドするスライド式で取り付ける形態としてもよい。
【００４８】
また、上記実施形態では、一側面１４ａの中央に負極端子を、またその外周１４ｃに正極端子を設けた構造の電池１４を用いている。この電池１４の構造としては、アルカリマンガン電池が代表される。しかし、アルカリマンガン以外の電池の場合には、正負極端子を逆に配置した構造の電池を用いても良い。この場合、レンズ付きフイルムユニット側の端子も正負極を逆にすればよい。
【００４９】
さらに、上記実施形態では、フイルムロールを写真フイルムのみで構成しているが、巻芯に未露光の写真フイルムを巻芯に巻回してフイルムロールを作っても良い。この場合には、巻芯の内部に軸方向に貫通する中空部を形成し、その中空部に電池１４を挿入するようにすればよい。この場合、巻軸４０を使って写真フイルム２１を巻回する必要がなく、しかも巻芯にフランジ（鍔）を形成することでフイルムロールの移動も阻止することができるから、開口４８を構成する端面規制壁２５と突起部４６とを省略することができる。
【００５０】
さらに、上記実施形態では、ストロボユニットに電源を供給する電源電池１４を用いているが、本発明では電池の電源を利用して作動する作動部品としては、ストロボユニットに限らず、例えばデートやデータを写真フイルムに写し込むための機構や絞りを切り替える機構などに用いてもよい。さらに、電池１４の一側面に設けた負極部材に丸穴を設けた構成としているが、本発明ではこの構成に限らず、丸穴を省略してフラットな構成にしてもよい。
【図面の簡単な説明】
【００５１】
【図１】本発明を採用したレンズ付きフイルムユニットの外観を示す斜視図である。
【図２】レンズ付きフイルムユニットを示す分解斜視図であり、背面側から見ている。
【図３】電源電池の断面図であり、内部構造を省略して記載している。
【図４】電源電池に接続する接続端子を示す斜視図である。
【図５】フイルムロール室の内部を示す断面図である。
【図６】フイルムロール室の上壁の要部を示す断面図である。
【図７】フイルムロールを作成する工程を示す斜視図である。
【図８】端面突出防止壁と突起部との概略を示す斜視図である。
【図９】端面突出防止壁と突起部とを組み合わせた状態の概略を示す斜視図である。
【図１０】一対の接続端子をベース部材に予め組み付けた他の実施形態を示す断面図である。
【符号の説明】
【００５２】
２  レンズ付きフイルムユニット
１２  本体部
１４  電源電池
１５  後カバー
２２  フイルムロール室
２５  端面突出防止壁
３５  負極用の接続端子
３６  正極用の接続端子
４０  巻軸
４６  突起部
【図１】
2005099189.tif 000003
【図２】
2005099189.tif 000004
【図３】
2005099189.tif 000005
【図４】
2005099189.tif 000006
【図５】
2005099189.tif 000007
【図６】
2005099189.tif 000008
【図７】
2005099189.tif 000009
【図８】
2005099189.tif 000010
【図９】
2005099189.tif 000011
【図１０】
2005099189.tif 000012